(57)【要約】【課題】  プリアンブル信号や各フレームが破損したことによる、通信異常やフレームの再送信を改善するファクシミリ装置を提供する。【解決手段】  相手機からの信号を受信する受信部と、受信信号を解析する解析部とを備え、解析部は、相手機からＤＩＳ信号を受信した場合は、他の信号が受信できなくても、ＤＣＳ信号を相手機へ送信する。【選択図】      図７
2015029165.tif 000002
【特許請求の範囲】
【請求項１】
相手機からの信号を受信する受信部と、
受信信号を解析する解析部と、
を備え、
前記解析部は、前記相手機からＤＩＳ信号を受信した場合は、他の信号が受信できなくても、ＤＣＳ信号を前記相手機へ送信することを特徴とするファクシミリ装置。
【請求項２】
前記解析部は、前記相手機から前記ＤＩＳ信号を受信し、前記他の信号がエラーの場合は、前記他の信号を破棄することを特徴とする請求項１記載のファクシミリ装置。
【請求項３】
前記解析部は、前記相手機から前記ＤＩＳ信号に加えて他のオプションフレーム信号を受信した場合に、前記ＤＣＳ信号を前記相手機へ送信することを特徴とする請求項１記載のファクシミリ装置。
【請求項４】
前記他のオプションフレーム信号はＣＳＩ、ＰＷＤ、ＳＥＰのいずれかである請求項３記載のファクシミリ装置。
【請求項５】
前記解析部は、前記相手機から前記ＤＩＳ信号に加え、プリアンブル信号を最低受信時間だけ受信した場合に、前記ＤＣＳ信号を前記相手機へ送信することを特徴とする請求項１記載のファクシミリ装置。
【請求項６】
前記解析部は、ＩＴＵ−Ｔ勧告のＴ.３０における手順を認識可能なことを特徴とする請求項１から５に記載のファクシミリ装置。
【請求項７】
相手機からの信号を受信するステップと、
受信信号を解析するステップと、
を備え、
前記受信信号を解析するステップは、前記相手機からＤＩＳ信号を受信し、他の信号がエラーの場合は、前記他の信号を破棄するステップと、
前記他の信号が受信できなくても、ＤＣＳ信号を前記相手機へ送信するステップと、
を有することを特徴とするファクシミリ装置の制御方法。
【請求項８】
前記受信信号を解析するステップは、ＩＴＵ−Ｔ勧告のＴ.３０における手順を認識可能なことを特徴とする請求項７に記載のファクシミリ装置の制御方法。
【発明の詳細な説明】
【技術分野】
【０００１】
本発明は、ファクシミリ装置及びその制御方法に関する。
【背景技術】
【０００２】
現在、多くのファクシミリ装置は、ＩＴＵ−Ｔ（国際電気通信連合−電気通信標準化部門）勧告における送受信手順Ｔ.３０をサポートしている。Ｔ.３０の初期識別段階では、プリアンブル信号を一定時間受信後、ＮＳＦ（Ｎｏｎ−Ｓｔａｎｄａｒｄ  Ｆａｃｉｌｉｔｉｅｓ：非標準機能）、ＣＳＩ（Ｃａｌｌｅｄ  Ｓｕｂｓｃｒｉｂｅｒ  Ｉｄｅｎｔｉｆｉｃａｔｉｏｎ：被呼端末識別）、ＤＩＳ（Ｄｉｇｉｔａｌ  Ｉｄｅｎｔｉｆｉｃａｔｉｏｎ  Ｓｉｇｎａｌ：デジタル識別信号）等の送信命令信号を受信する。
【０００３】
特許文献１では、このような通信手順を改善して、通信における時間短縮を図る技術が開示されている。具体的には、Ｖ．２１、Ｖ．２７ｔｅｒ、Ｖ．２９、Ｖ．１７通信実行時と、前記Ｖ．８、Ｖ．３４通信実行時とで、制御信号の送信タイミングを変えている。さらに特許文献１の第８９段落では、国際通信が選択された時、Ｖ．２１、Ｖ．２７ｔｅｒ、Ｖ．２９、Ｖ．１７通信手段での通信を実行時は、初期識別信号（ＤＩＳ信号）を２回受信後、ＤＣＳ（Ｄｉｇｉｔａｌ  Ｃｏｍｍａｎｄ  Ｓｉｇｎａｌ）グループの信号の送信へ移行し、エコーサプレッサをイネーブル状態とする。一方、Ｖ．８、Ｖ．３４通信手段での通信を実行時は初期識別信号（ＤＩＳ信号）を１回受信した時点で、ＤＣＳグループの信号の送信へ移行する。
【先行技術文献】
【特許文献】
【０００４】
【特許文献１】特開平１０−３３６４１６号公報
【発明の概要】
【発明が解決しようとする課題】
【０００５】
近年、多種類の通信網の利用が一般化し、回線特性の影響、例えばＰＳＤＮ（公衆電話回線網）の瞬断による信号破損やファクシミリ装置の処理遅延による受信開始タイミングの遅延で、プリアンブル信号や各フレームが破損する場合がある。この場合、ファクシミリ装置ではエラー扱いとなり、通信異常やフレームの再送信となることもあった。
【０００６】
例えば、ファクシミリ装置のメーカーによって、初期識別信号のフレーム構成が異なり、受信時間や必要なメモリサイズが異なるような場合がある。初期識別信号のフレーム構成が異なるとは、例えばＡ社はＮＳＦ、ＮＳＦ、ＳＥＰ（Ｓｅｌｅｃｔｉｖｅ  Ｐｏｌｌｉｎｇ）、ＤＩＳだが、Ｂ社はＮＳＦ、ＣＳＩ、ＮＳＦ、ＤＩＳと異なることを示す。またメーカーによって使用しているＣＰＵ、モデムの能力が異なるため、メモリのオーバー・アンダーフロー状態が発生し、データ（またはデータの一部）を正常に送受信できないことも起きうる。言い換えると各ファクシミリ装置単体では正常であるが、組み合わせによっては、信号の一部が欠落しエラー扱いとなり、通信異常となることがあった。
【０００７】
特許文献１に記載の技術では、ＤＩＳ信号の受信可否によるエラー処理のみが述べられており、プリアンブル信号や各フレームが破損する場合による通信異常やフレームの再送信となることを、改善することはできないという課題があった。
【０００８】
本発明の目的は、上述した課題を解決するファクシミリ装置とその制御方法を提供することにある。
【課題を解決するための手段】
【０００９】
本発明は、上記課題を解決するために、相手機からの信号を受信する受信部と、受信信号を解析する解析部とを備え、解析部は、相手機からＤＩＳ信号を受信した場合は、他の信号が受信できなくても、ＤＣＳ信号を相手機へ送信することを特徴としている。
【００１０】
また、本発明は、相手機からの信号を受信するステップと、受信信号を解析するステップとを備え、受信信号を解析するステップは、相手機からＤＩＳ信号を受信し、他の信号がエラーの場合は、他の信号を破棄するステップと、他の信号が受信できなくても、ＤＣＳ信号を相手機へ送信するステップとを有することを特徴としている。
【発明の効果】
【００１１】
本発明によれば、プリアンブル信号や各フレームが破損したことによる、通信異常やフレームの再送信を減らすことができるファクシミリ装置を提供できる。
【図面の簡単な説明】
【００１２】
【図１】本発明の第１の実施形態におけるファクシミリ装置の構成を示すブロック図である。
【図２】本発明の第１の実施形態におけるファクシミリ装置の伝送制御手順を示すシーケンス図である。
【図３】本発明の第１の実施形態におけるファクシミリ装置のフレーム構造例（正常時）を示す図である。
【図４】本発明の第１の実施形態におけるファクシミリ装置のフレーム構造例（プリアンブル破損）を示す図である。
【図５】本発明の第１の実施形態におけるファクシミリ装置のフレーム構造例（先頭フレーム破損）を示す図である。
【図６】本発明の第１の実施形態におけるファクシミリ装置のフレーム構造例（中間フレーム破損）を示す図である。
【図７】本発明の第１の実施形態におけるファクシミリ装置の動作を示すフローチャートである。
【発明を実施するための形態】
【００１３】
以下、本発明の実施形態について図面を参照して詳細に説明する。
【００１４】
（第１の実施形態）
図１は、本発明の実施形態であるファクシミリ装置の構成を示すブロック図である。図１において、ファクシミリ装置１０は、解析部として、ファクシミリプロトコル制御部１、受信部として、ファクシミリ通信制御部２、ＮＣＵ（Ｎｅｔｗｏｒｋ  Ｃｏｎｔｒｏｌ  Ｕｎｉｔ）制御部３、モデム制御部４を具備している。ファクシミリプロトコル制御部１は、ファクシミリ通信のプロトコルを解析し制御する。ファクシミリ通信制御部２は、送信タイミングの制御を行う。モデム制御部４は、ＩＴＵ−Ｔ勧告に基づいた変調および復調を行う。ＮＣＵ制御部３は、電話網をデータ通信等に使用するために、その回線の端末に接続し、電話交換網の接続制御を行ったり、データ通信路への切換えを行う。
【００１５】
ファクシミリ受信時には、ファクシミリプロトコル制御部１は、モデムやＴＡ（Ｔｅｒｍｉｎａｌ  Ａｄａｐｔｅｒ）が網から受信した信号をファクシミリ通信制御部２経由で受信し、プロトコル解析を行う。そして、ファクシミリプロトコル制御部１は、プリアンブル信号受信時間や受信したファクシミリ信号を認識し、以降のファクシミリ通信の制御を行う。
【００１６】
相手機への送信の場合は、ファクシミリプロトコル制御部１で決定されたファクシミリプロトコルに従い、ファクシミリ通信制御部２を経由してＮＣＵ制御部３、モデム制御部４を制御することで、モデムやＴＡからプリンアンブル信号やファクシミリ信号を網へ送信する。
【００１７】
次に図２−図７を参照して、本発明の第１の実施形態の動作について詳細に説明する。
【００１８】
ＩＴＵ−ＴのＴ．３０の勧告に従い初期識別信号を相手機から受信する場合は、図２のようなプロトコルシーケンスとなる。まず、送信機側からＣＮＧ（Ｃａｌｌｉｎｇ  Ｔｏｎｅ）が送信され、受信機側が初期識別信号や送信命令信号を送信する（図２のＣＥＤ（Ｃａｌｌｅｄ  ｔｅｒｍｉｎａｌ  ｉｄｅｎｔｉｆｉｃａｔｉｏｎ）／ＮＳＦ／ＣＳＩ／ＤＩＳ部分）。
【００１９】
その際、Ｔ．３０の規格では図３のように、送信側はプリアンブル信号を１秒±１５％送信後、バイナリコード情報を送信する。しかし、回線特性の影響やファクシミリ装置の処理遅延により、各フレームが破損する場合や、プリアンブル信号が受信できなかったり、短くなったりする場合がある。
【００２０】
図３において、プリアンブル信号の後のバイナリコード情報は、ＮＳＦフレーム、ＣＳＩフレーム、ＤＩＳフレームで構成されている。さらに各フレームの基本構造は、図３に示すように、フラグ、アドレス、制御、ＦＣＦ（Ｆａｃｓｉｍｉｌｅ  Ｃｏｎｔｒｏｌ  Ｆｉｅｌｄ）、ＦＩＦ（Ｆａｃｓｉｍｉｌｅ  Ｉｎｆｏｒｍａｔｉｏｎ  Ｆｉｅｌｄ）、ＦＣＳ（Ｆｒａｍｅ  Ｃｈｅｃｋ  Ｓｅｑｕｅｎｃｅ）で構成されている。ファクシミリプロトコル制御部１では、これらの信号を解析し、得られた情報に基づいて制御を行う。
【００２１】
図４に示すようにプリアンブル信号が破損した場合や、送信機の受信タイミングが遅れた場合は、プリンアンブル信号の受信時間が短くなり、ファクシミリ装置が許容する最低受信時間を満たせなくなる。
【００２２】
図５に示すようにバイナリコード情報の先頭フレームがノイズの発生等により破損した場合、プリアンブル信号の受信ができず、ファクシミリ装置は次フレームから受信したと判断する。
【００２３】
図６に示すように先頭以外のフレームが破損した場合、プリアンブル信号の受信はできるが、破損したフレームがＨＤＬＣ（Ｈｉｇｈ  Ｌｅｖｅｌ  Ｄａｔａ  Ｌｉｎｋ  Ｃｏｎｔｒｏｌ：ハイレベル伝送制御手順）のＣＲＣ（Ｃｙｃｌｉｃ  Ｒｅｄｕｎｄａｎｃｙ  Ｃｈｅｃｋ）チェックにより、エラーフレームとなる。
【００２４】
図４、図５、図６のような状況でも、ＤＩＳ信号があれば、規格上、通信をすることが可能なため、最低限必要なＤＩＳ信号が正常に受信できた場合は、ファクシミリ装置はＤＣＳ信号を受信機側に送信して通信を継続する。
【００２５】
図７は、ファクシミリプロトコル制御部１の動作を示すフローチャートである。図７を用いて、さらに動作を説明する。
【００２６】
図７において、初期識別段階においては、受信機から初期識別信号や送信命令信号を受信した際に、ＤＩＳ信号がエラーかどうか判断する。ＤＩＳ信号が含まれている場合は（Ｓ１０１のＮｏ）、以降の処理を継続し、含まれていない場合は（Ｓ１０１のＹｅｓ）、エラーフレームとして破棄し、受信機側に再送を求める（Ｓ１０２）。
【００２７】
次に、他に受信したフレーム情報にエラーフレームがある場合は（Ｓ１０３のＹｅｓ）、ＤＩＳ信号以外の情報を破棄し（Ｓ１０４）、ＤＩＳの情報のみをファクシミリ装置に設定する（Ｓ１０５）。ここで、ＤＩＳ以外の情報を破棄するのは、受信できたフレーム(ＮＳＦなど)には、複数フレームで構成されるものがあるため、一つでもエラーフレームが存在すると、必要な情報が全て受信できたとは判断できないためである。
【００２８】
また、他に受信したフレーム情報にエラーフレームがない場合は（Ｓ１０３のＮｏ）、受信信号を設定し（Ｓ１０６）、受信機側にＤＣＳ信号を送信し（Ｓ１０７）、通信を継続する。
【００２９】
このように、本発明によれば、ファクシミリ装置において最低限必要なＤＩＳ信号が受信できた場合には、プリアンブル信号を受信できなくても、ＤＩＳ以外のオプションフレームがエラーとなった場合でも、エラー扱いせず、ＤＣＳ信号を送信して通信を継続することができる。その結果通信異常やフレームの再送信を減らすことができる。
（第２の実施形態）
次に、本発明の第２の実施形態について説明する。
【００３０】
本発明の第１の実施形態では、ＤＩＳ信号さえあれば通信を継続させているが、ファクシミリ装置のオプション設定として、ＣＳＩ（被呼端末識別）、ＰＷＤ（Ｐａｓｓ  Ｗｏｒｄ）（パスワード）、ＳＥＰ（選択ポーリング）などを加える。ＤＩＳ信号に加えて、これらの単一フレームで構成されるオプションフレームの受信を必須とするように、ファクシミリ装置のオプション設定を設ける。これにより、必要に応じて最適なオプションが得られるファクシミリ受信が可能となる。
【００３１】
また、ファクシミリ装置が必要とするプリアンブル信号の最低受信時間を、オプションとしてファクシミリ装置に設定すれば、プリアンブル信号の受信時間が短くなる場合に対応することが可能となる。Ｔ．３０勧告ではプリアンブル信号の受信時間は１秒±１５％であるので、最低受信時間は０．８５秒となる。
【００３２】
以上のようなオプションを設定することにより、必要に応じて最適なオプションが得られるファクシミリ受信が可能となる。
【００３３】
尚、本願発明は、上述の実施の形態に限定されるものではなく、本願発明の要旨を逸脱しない範囲で種々変更、変形して実施することが出来る。
【産業上の利用可能性】
【００３４】
本発明は、ファクシミリ通信を実行可能な装置に利用可能である。
【符号の説明】
【００３５】
１    ファクシミリプロトコル制御部
２    ファクシミリ通信制御部
３    ＮＣＵ制御部
４    モデム制御部
１０    ファクシミリ装置
【図１】
2015029165.tif 000003
【図２】
2015029165.tif 000004
【図３】
2015029165.tif 000005
【図４】
2015029165.tif 000006
【図５】
2015029165.tif 000007
【図６】
2015029165.tif 000008
【図７】
2015029165.tif 000009